(57)【要約】【課題】スクープ写真をマスコミ機関へ送付する際、スクープ写真に対する謝礼が記念品もしくは低額の礼金である場合、撮影した個人は十分な恩恵を受けることができない。【解決手段】デジタルカメラ１４は、電波でアクセスポイント１３に接続し、さらに電話回線１２を介してオークション主催機関のホストコンピュータ１１と接続する。デジタル写真は撮影直後にホストコンピュータ１１へアップロードされ、各マスコミ機関によるオークションにかけられる。落札後、デジタル写真はホストコンピュータ１１から落札したマスコミ機関の汎用パソコン１５へ送信される。また、撮影した個人には落札価格が通知され、後日、マスコミ機関から礼金が支払われる。【選択図】　図１
2004139227.tif 000002
【特許請求の範囲】
【請求項１】
投稿者の端末からデジタル写真と投稿情報を受信する投稿情報受信機能と、
受信した前記デジタル写真からサムネイルを生成するサムネイル生成機能と、前記デジタル写真および前記投稿情報および前記サムネイルを蓄積する情報蓄積機能と、
前記情報蓄積機能に蓄積されたサムネイルを公開するサムネイル公開機能と、入札者の端末から入札価格と入札者情報を受信して最高入札価格と入札者情報を更新する価格更新機能と、
前記投稿情報と前記最高入札価格から落札者を決定する落札者決定機能と、
前記投稿者の端末へ前記落札者の入札者情報と最高入札価格を通知する落札結果通知機能と、
前記落札者の端末へ前記デジタル写真の送信と支払い情報の送信を行う落札結果送信機能とを有するデジタル写真オークションシステム。
【請求項２】
前記サムネイル公開可否をパスワードで管理するパスワード管理機能を有することを特徴とする請求項１に記載のデジタル写真オークションシステム。
【発明の詳細な説明】
【０００１】
【発明の属する技術分野】
本発明は、個人がデジタルカメラで撮影した写真をインターネットオークションに出品し、その写真をマスコミ機関が落札するデジタル写真オークションシステムに関する。
【０００２】
【従来の技術】
従来より、個人がデジタルカメラで撮影したスクープ写真をマスコミ機関へ送付する場合、マスコミ機関のホームページへアクセスして電子メール送信する、デジタルカメラのリムーバブルメディアを郵送する、ＦＤ等のリムーバブルメディアへコピーしてＦＤを郵送する、等が一般的である。さらに、スクープ写真に対する謝礼は記念品もしくはマスコミ機関が定める額の礼金であることが一般的である。
【０００３】
また、個人がデジタルカメラで撮影した写真をインターネット上のサーバーへアップロードする際、デジタルカメラに格納された写真を一旦、パソコンのハードディスク等へコピーした後、パソコンをインターネット接続する。
【０００４】
また、インターネットによる製品のコンピュータオークションシステムの技術もあった（例えば、特許文献１参照）。
【０００５】
【特許文献１】
特開２００１−２８３０４２号公報
【０００６】
【発明が解決しようとする課題】
従来のシステムでは、デジタルカメラで撮影したスクープ写真をマスコミ機関へ送付する場合、パソコン経由でマスコミ機関へ電子メール送信する、デジタルカメラのリムーバブルメディアをマスコミ機関へ郵送する、リムーバブルメディアのデジタル写真をＦＤにコピーしてＦＤをマスコミ機関へ郵送する、等の方法を選択する必要があり、スクープ写真の撮影からマスコミ機関へのデジタル写真到着までに時間がかかり、スクープ写真としての価値が下がる。また、郵送等の送付の場合、撮影した個人はマスコミ機関の所在地、該当部署を予め調査しておく必要がある。
【０００７】
さらに、スクープ写真に対する謝礼は記念品もしくは低額の礼金となることが一般的であるため、客観的に見てスクープ写真が高価値である場合、投稿した個人が十分な恩恵を受けられないことがある。
【０００８】
また、デジタルカメラで撮影したデジタル写真をインターネット上のサーバーへアップデートする際、サーバーへ接続可能なパソコンが必要となり、一旦、デジタルカメラに格納されたデジタル写真を、パソコンのハードディスクへコピーする等の操作が必要となり、アップデートに要する手間と時間が問題となる。そのため、撮影直後にサーバーへアップデートすることが困難となる。
【０００９】
本発明は、このような点を考慮してなされたものであり、デジタルカメラで撮影したデジタル写真を直ちにインターネット上のオークションサイトへ投稿可能とし、そのスクープ写真をオークションでマスコミ機関が落札可能とするとともに、投稿した個人はマスコミ機関から妥当な額の礼金を受領できるデジタル写真オークションシステムを提供することを目的とする。
【００１０】
【課題を解決するための手段】
上記課題を解決するため、第１の発明は、投稿者の端末からデジタル写真と投稿情報を受信する投稿情報受信機能と、受信した前記デジタル写真からサムネイルを生成するサムネイル生成機能と、前記デジタル写真および前記投稿情報および前記サムネイルを蓄積する情報蓄積機能と、前記情報蓄積機能に蓄積されたサムネイルを公開するサムネイル公開機能と、入札者の端末から入札価格と入札者情報を受信して最高入札価格と入札者情報を更新する価格更新機能と、前記投稿情報と前記最高入札価格から落札者を決定する落札者決定機能と、前記投稿者の端末へ前記落札者の入札者情報と最高入札価格を通知する落札結果通知機能と、前記落札者の端末へ前記デジタル写真の送信と支払い情報の送信を行う落札結果送信機能とを有するデジタル写真オークションシステムである。
【００１１】
また、第２の発明は、前記サムネイル公開可否をパスワードで管理するパスワード管理機能を有することを特徴とする第１の発明に記載のデジタル写真オークションシステムである。
【００１２】
【発明の実施の形態】
以下、本発明の実施の形態について図面を参照しながら説明する。
【００１３】
図１は、本発明の実施の形態に関するデジタル写真オークションシステム１０の構成図である。デジタル写真オークションシステム１０は、個人が撮影したデジタル写真のオークションを行なって落札したマスコミ機関へデジタル写真を送信するオークション主催機関に設置されたホストコンピュータ１１と、ホストコンピュータ１１に電話回線１２を介して接続されたアクセスポイント１３と、アクセスポイント１３と電波で交信して接続され、個人が所有するデジタルカメラ１４と、ホストコンピュータ１１に電話回線１２を介して接続され、各マスコミ機関に設置された汎用パソコン１５から構成されている。
【００１４】
汎用パソコン１５には、ブラウザソフト１６がインストールされているが、他の種々のアプリケーションソフトもインストールされている。ブラウザソフト１６を起動すると、オークション主催機関のサイトと接続可能となり、サイトのアドレスを指定することにより、マスコミ機関はデジタル写真の入札が可能となる。
【００１５】
デジタルカメラ１４でデジタル写真を撮影後、アクセスポイント１３へ電話することにより、ホストコンピュータ１１と接続可能となる（接続機能）。
【００１６】
接続可能後、デジタルカメラ１４でデジタル写真を選択し、個人情報、オークション開始価格または希望落札価格、オークション終了時刻、支払いに関する情報から構成される投稿情報を入力し、ホストコンピュータ１１へ送信することにより、オークション主催機関への投稿が可能となる（情報送信機能）。
【００１７】
個人情報とは、メールアドレスであるが、情報の種類はこれに限定されない。支払いに関する情報とは、銀行もしくは郵便局の口座番号であるが、情報の種類はこれに限定されない。
【００１８】
ホストコンピュータ１１は、デジタルカメラ１４からの投稿情報を受信し（情報受信機能）、受信したデジタル写真からサムネイルを生成する（サムネイル生成機能）。その後、投稿情報およびサムネイルをホストコンピュータ１１のデータベースに蓄積する（情報蓄積機能）。そして、オークション期間中、サムネイルを各マスコミ機関へ公開する（サムネイル公開機能）。
【００１９】
汎用コンピュータ１５からデジタル写真の入札が行われると、ホストコンピュータ１１は、入札価格に応じて最高入札価格を決定し、データベースを更新する（価格更新機能）。
【００２０】
入札価格が希望落札価格に到達、もしくは、オークション終了時刻になった時、ホストコンピュータ１１はデジタル写真を落札し、デジタル写真を投稿した個人に対し、落札したマスコミ機関名および落札価格を通知する（落札結果通知機能）。また、ホストコンピュータ１１は、デジタル写真を落札したマスコミ機関の汎用コンピュータ１５に対し、デジタル写真および支払いに関する情報を送信する（落札結果送信機能）。
【００２１】
汎用コンピュータ１５のブラウザソフト１６は、ホストコンピュータ１１のデータベースに蓄積されたサムネイルを表示する（表示機能）。さらに、サムネイルを閲覧し、デジタル写真の入札価格を入力して、ホストコンピュータ１１へ送信できる（入札機能）。また、デジタル写真の落札後、ホストコンピュータ１１から落札したデジタル写真および投稿した個人の支払いに関する情報を受信する（落札結果受信機能）。
【００２２】
さらに、ホストコンピュータ１１は、サムネイル公開の対象を各マスコミ機関に限定するために、サムネイル公開可否をパスワードで管理する（パスワード管理機能）。
【００２３】
【発明の効果】
以上説明したように、デジタルカメラは電波でアクセスポイントと交信し、オークション主催機関のホストコンピュータへアクセスできるため、デジタル画像を撮影直後にアップロードすることが実現可能となる。また、各マスコミ機関によるオークションを経て、デジタル写真は落札したマスコミ機関へ送信されるため、デジタル写真のスクープ価値が向上すると共に、投稿した個人は妥当な額の礼金をマスコミ機関から受領できる。さらに、スクープ写真をマスコミ機関へ送る際、マスコミ機関の所在地、該当部署を予め調査することが不要となる。
【図面の簡単な説明】
【図１】本発明の実施の形態に関するデジタル写真オークションシステムの構成図
【符号の説明】
１０　デジタル写真オークションシステム
１１　ホストコンピュータ
１２　電話回線
１３　アクセスポイント
１４　デジタルカメラ
１５　汎用パソコン
１６　ブラウザソフト
【図１】
2004139227.tif 000003